(57)【要約】【課題】複数の内蔵アンテナを設けた場合であっても、小型・薄型を維持しながら内蔵アンテナ同士の干渉を防ぐことができ、さらに、人体からの影響を低減させることでアンテナ利得の劣化を防ぐことができる携帯無線機を提供する。【解決手段】ＬＣＤ１５、および／または、キー操作部１６が設けられた第１の面２１と、第１の面２１と対向する第２の面２２とを有する筐体１と、筐体内１に設けられ、第２の面２２に沿って配置される複数のアンテナとを備え、複数のアンテナは、第２の面２２の互いに対向する対辺の一方および他方に沿ってそれぞれ配置される第１，第２の内蔵アンテナ８，１１を含む。【選択図】図１
2008011016.tif 000002
【特許請求の範囲】
【請求項１】
表示部、および／または、キー操作部が設けられた第１の面と、前記第１の面と対向する第２の面とを有する筐体と、
前記筐体内に設けられ、前記第２の面に沿って配置される複数のアンテナとを備え、
前記複数のアンテナは、
前記第２の面の互いに対向する対辺の一方および他方に沿ってそれぞれ配置される第１，第２のアンテナを含む、
携帯無線機。
【請求項２】
前記第１，第２のアンテナは前記対辺の一方および他方の前記筐体の上部側の各同位置に配置される、
請求項１に記載の携帯無線機。
【請求項３】
前記複数のアンテナは、
前記第２の面の前記対辺以外の辺に沿って配置される第３のアンテナを含む、
請求項１に記載の携帯無線機。
【請求項４】
前記第３のアンテナが配置される前記辺は、前記筐体の上部の辺である、
請求項３に記載の携帯無線機。
【請求項５】
前記第１，第２のアンテナは、前記第３のアンテナよりも高い周波数での通信に使用される、
請求項３または請求項４に記載の携帯無線機。
【請求項６】
前記複数のアンテナは、
前記第１のアンテナと前記第２のアンテナの中間に配置される第３のアンテナを含む、
請求項１に記載の携帯無線機。
【請求項７】
前記複数のアンテナは、
前記第１のアンテナと同じ前記対辺に沿って配置される第３のアンテナと、前記第２のアンテナと同じ前記対辺に沿って配置される第４のアンテナを含む、
請求項１に記載の携帯無線機。
【請求項８】
前記第１，第２のアンテナは前記対辺の一方および他方の前記筐体の上部側の各同位置に配置され、
前記第３，第４のアンテナは前記対辺の一方および他方の前記筐体の下部側の各同位置に配置される、
請求項７に記載の携帯無線機。
【請求項９】
前記筐体内に、前記第１，第２の面と垂直方向に積層して配置される複数の基板と、
前記基板上に設けられ、前記アンテナに給電する給電ピンとをさらに備え、
前記複数のアンテナは、前記複数の基板のうち前記第１の面に最も近い基板以外の基板上に設けられた前記給電ピンと接続される、
請求項１乃至請求項８のいずれかに記載の携帯無線機。
【請求項１０】
表示部、および／または、キー操作部が設けられた第１の面と、前記第１の面と対向する第２の面とを有する筐体と、
前記筐体内に設けられ、前記第２の面に沿って配置される複数のアンテナと、
前記筐体内に、前記第１，第２の面と垂直方向に積層して配置される複数の基板と、
前記基板上に設けられ、前記アンテナに給電する給電ピンとを備え、
前記複数のアンテナは、前記複数の基板のうち前記第１の面に最も近い基板以外の基板上に設けられた前記給電ピンと接続される、
携帯無線機。
【請求項１１】
前記複数のアンテナはすべて、前記複数の基板のうち前記第１の面から最も遠い基板上に設けられた前記給電ピンと接続される、
請求項９または請求項１０に記載の携帯無線機。
【発明の詳細な説明】
【技術分野】
【０００１】
本発明は、複数のアンテナを内蔵する携帯無線機に関するものである。
【背景技術】
【０００２】
近年、携帯電話などの携帯無線機器では、通話のみならず、メール、インターネット接続、Global Positioning System（以下、ＧＰＳ）、デジタルテレビ（以下、ＤＴＶ）など使用用途が増えている。また、通話品質向上・通信速度向上・情報量増加に伴い、１つの使用用途においても使用する周波数帯域が拡大している。このように複数、かつ、広範囲の周波数帯域を使用する必要があるため、例えば、通話は通話用のアンテナ、メールはメール用のアンテナというように、複数のアンテナを設け、使用用途ごとにアンテナを用いる対応が必要となっている。その一方で、ポケットや鞄に収納し所持するという携帯無線機の利便性から、筐体の小型化・薄型化も必須となっている。
【０００３】
このような携帯無線機において、アンテナ利得の劣化防止に関する開発が進められている。特許文献１では、２つ折り型の携帯無線機において、下部筐体の一端に内蔵アンテナを設け、上部筐体で遮蔽することにより、内蔵アンテナを人体頭部から遠ざけている。こうして、内蔵アンテナが人体頭部から受ける影響を低減させることにより、アンテナ利得の劣化を防いでいる。
【０００４】
【特許文献１】特開２００４−１６６２８４号公報
【発明の開示】
【発明が解決しようとする課題】
【０００５】
上記のように複数の周波数帯域を使用するためにアンテナを増やすと、アンテナ同士の干渉が大きくなる。しかしながら、その干渉を防ぐためにアンテナ間の距離を無作為に大きくすると、携帯無線機が大型化・厚型化するという問題があった。また、複数の内蔵アンテナを設けた場合であっても、内蔵アンテナが人体から受ける影響を低減する必要がある。
【０００６】
この発明は、上記のような問題点を解決するためになされたものであり、複数の内蔵アンテナを設けた場合であっても、小型・薄型を維持しながら内蔵アンテナ同士の干渉を防ぐことができ、さらに、人体からの影響を低減させることで、アンテナ利得の劣化を防ぐことができる携帯無線機を得ることを目的とする。
【課題を解決するための手段】
【０００７】
本発明に係る携帯無線機は、表示部、および／または、キー操作部が設けられた第１の面と、前記第１の面と対向する第２の面とを有する筐体と、前記筐体内に設けられ、前記第２の面に沿って配置される複数のアンテナとを備え、前記複数のアンテナは、前記第２の面の互いに対向する対辺の一方および他方に沿ってそれぞれ配置される第１，第２のアンテナを含む。
【発明の効果】
【０００８】
本発明の携帯無線機によれば、内部に複数のアンテナを設けた場合であっても、小型・薄型を維持しながらアンテナ同士の干渉を防ぐことができ、さらに、人体からの影響を低減させることでアンテナ利得の劣化を防ぐことができる。
【発明を実施するための最良の形態】
【０００９】
＜実施の形態１＞
本実施の形態に係る携帯無線機の概念図を図１に、携帯無線機を使用しているときの側面図を図２に示す。図に示すように、筐体１と、電池２と、複数の基板３，４，５と、第１，第２，第３のＭＣ回路６，９，１２と、給電ピンである第１，第２，第３の給電ピン７，１０，１３と、複数のアンテナ８，１１，１４と、表示部であるLiquid Crystal Display（以下、ＬＣＤ）１５と、キー操作部１６とを備える。
【００１０】
図２に示すように、筐体１は、ＬＣＤ１５と、キー操作部１６が設けられた第１の面２１と、第１の面２１と対向する第２の面２２とを有する。図１は、第２の面２２を上側にして携帯無線機を示した図である。この図のように、複数のアンテナ８，１１，１４は、筐体１内に設けられ、筐体１の第２の面２２に沿って配置される。この複数のアンテナは、第１のアンテナである第１の内蔵アンテナ８と、第２のアンテナである第２の内蔵アンテナ１１と、第３のアンテナである第３の内蔵アンテナ１４とを含む。ここでは、第１の内蔵アンテナ８と、第２の内蔵アンテナ１１と、第３の内蔵アンテナ１４はすべて線状のモノポールアンテナとする。
【００１１】
第１，第２の内蔵アンテナ８，１１は、第２の面２２の互いに対向する対辺の一方および他方に沿ってそれぞれ配置される。第１，第２の内蔵アンテナ８，１１は、対辺の一方および他方の筐体１の上部側の各同位置に配置されている。ここで、上部側とは、筐体１を使用した場合に、筐体１において上側に位置する部分をいう。具体的には、図１のように、第１の内蔵アンテナ８は、第２の面２２の左上側に配置され、第２の内蔵アンテナ１１は、第２の面２２の右上側に配置され、左右対称となっている。この第１，第２の内蔵アンテナは、Flexible Printed Circuit（以下、ＦＰＣ）で構成されており、第２の面２２に貼り付けて配置されている。
【００１２】
第３の内蔵アンテナ１４は、板金で構成されており、第２の面２２の対辺以外の辺に沿って配置される。ここでは、第３の内蔵アンテナ１４が配置される辺は、筐体１の上部の辺である。上記第１，第２の内蔵アンテナ８，１１は、第３の内蔵アンテナ１４よりも高い周波数での通信に使用される。
【００１３】
複数の基板を構成する第１の基板３と、第２の基板４と、第３の基板５は、第１，第２の面２１，２２と垂直方向に、第１の面２１から第２の面２２に向かって順に積層して配置される。第１の基板３は、無線部を含む回路で構成される。第２の基板４は、第１の基板３に搭載しきれない無線部を含む回路で構成される。第３の基板５は、第１の基板４および第２の基板４に搭載しきれない無線部を含む回路で構成される。
【００１４】
第１の給電ピン７は、第３の基板５上に設けられ、第１の内蔵アンテナ８と電気（ＤＣ）的に接続されることにより、第１の内蔵アンテナ８に給電する。第１のＭＣ回路６は、第１の内蔵アンテナ８と第１の給電ピン７のインピーダンスの整合をとるＭＣ調整を行う。第１の内蔵アンテナ８は、複数の基板３，４，５のうち第１の面２１に最も近い基板である第１の基板３以外の基板上に設けられた給電ピンと接続される。本実施の形態では最も望ましい構造として、第１の内蔵アンテナ８は、複数の基板３，４，５のうち第１の面２１から最も遠い基板である第３の基板５上に設けられた第１の給電ピン７と接続される。
【００１５】
第２の給電ピン１０は、第３の基板５上に設けられ、第２の内蔵アンテナ１１と電気（ＤＣ）的に接続されることにより、第２の内蔵アンテナ１１に給電する。第２のＭＣ回路９は、第２の内蔵アンテナ１１と第２の給電ピン１０のインピーダンスの整合をとるＭＣ調整を行う。第２の内蔵アンテナ１１は、複数の基板３，４，５のうち第１の面２１に最も近い基板である第１の基板３以外の基板上に設けられた給電ピンと接続される。本実施の形態では最も望ましい構造として、第２の内蔵アンテナ１１は、複数の基板３，４，５のうち第１の面２１から最も遠い基板である第３の基板５上に設けられた第２の給電ピン１０と接続される。
【００１６】
第３の給電ピン１３は、第１の基板３上に設けられ、第３の内蔵アンテナ１４と電気（ＤＣ）的に接続されることにより、第３の内蔵アンテナ１４に給電する。第３のＭＣ回路１２は、第３の内蔵アンテナ１４と第３の給電ピン１３のインピーダンスの整合をとるＭＣ調整を行う。第３の内蔵アンテナ１４は、複数の基板３，４，５のうち第１の面２１に最も近い基板である第１の基板３上に設けられた第３の給電ピン１３と接続される。
【００１７】
このように構成すれば、携帯無線機の小型化を実現できる限りにおいて、第１の内蔵アンテナ８と第２の内蔵アンテナ１１とが互いに離れた構造となる。そのため、第１の内蔵アンテナ８が第２の内蔵アンテナ１１から受ける影響と、第２の内蔵アンテナ１１が第１の内蔵アンテナ８から受ける影響を軽減することができる。
【００１８】
また、第１，第２，第３の内蔵アンテナ８，１１，１４を第２の面２２に沿って配置したことにより、図２のように人が携帯無線機を使用するときには、携帯無線機の薄型化を実現できる限りにおいて、それらは人体頭部１７から最も遠い場所に位置することになる。そのため、人体頭部１７からの影響を低減させることができ、これら内蔵アンテナそれぞれにおけるアンテナ利得の劣化を防止することができる。
【００１９】
また、一般に、携帯無線機は、筐体１の下部側を人の手で保持されて使用される。そのため、第１，第２の内蔵アンテナ８，１１を筐体１の上部側に設けたことにより、人の手からの影響を低減させることができ、第１，第２の内蔵アンテナ８，１１それぞれにおけるアンテナ利得の劣化をさらに防止することができる。同様に、第３の内蔵アンテナ１４を筐体１の上部の辺に沿って設けたことにより、人の手から受ける影響を低減させることができ、第３の内蔵アンテナ１４におけるアンテナ利得の劣化をさらに防止することができる。
【００２０】
また、人体の影響を受けやすい周波数、すなわち相対的に高い周波数で通信する第１，第２の内蔵アンテナ８，１１は、人体頭部１７に最も近い第１の基板３以外の基板上に設けられた給電ピンから給電される。つまり、人体頭部１７から近くない位置で給電される。このため、上記複数の内蔵アンテナの配置による効果に加えて、さらに人体頭部１７からの影響を防ぐことができるようになり、第１，第２の内蔵アンテナ８，１１それぞれにおけるアンテナ利得の劣化をさらに防止することができる。
【００２１】
本実施の形態では、さらに、第１，第２の内蔵アンテナ８，１１は、人体頭部１７から最も遠い第３の基板５上に設けられた第１，第２の給電ピン７，１０からそれぞれ給電される。つまり、人体頭部１７から最も遠い位置で給電される。このため、最も人体頭部１７からの影響を防ぐことができるようになり、第１，第２の内蔵アンテナ８，１１それぞれにおけるアンテナ利得の劣化を最も防止することができる。
【００２２】
なお、本実施の形態では、第３の内蔵アンテナ１４を人体頭部１７に最も近い第１の基板３上の給電ピン１３と接続している。これは、第２の基板４、第３の基板５それぞれの設計スペースに余裕が無く、第２の基板４、第３の基板５には設けられなかった場合を想定したものである。ここでは、相対的に低い周波数での通信が、人体頭部１７からの影響を比較的受けにくいため、複数のアンテナ８，１１，１４のうち、第３の内蔵アンテナ１４を、第１の基板４に接続させた。しかし、後の実施の形態で示すように、もし、第２の基板４、または、第３の基板５に設けることができるのであれば、第３の内蔵アンテナ１４もそれら基板と接続させて、第３の内蔵アンテナ１４におけるアンテナ利得の劣化を防止させたほうがよい。
【００２３】
また、第１の内蔵アンテナ８と第２の内蔵アンテナ１１と第３の内蔵アンテナ１４は、線状モノポールアンテナとしたものを示したが、これらのうち少なくとも１つを板状モノポールアンテナとしてもよい。
【００２４】
また、第１，第２の内蔵アンテナ８，１１はＦＰＣ、第３の内蔵アンテナ１４は板金で構成したが、これらのアンテナは、板金であっても、ＦＰＣであってもよい。
【００２５】
また、第３の内蔵アンテナ１４は板金で構成したが、第２の面２２上側に誘電体を設け、その誘電体上にアンテナ素子を設けて第３の給電ピン１３で電気（ＤＣ）的に接続したものを代用してもよい。
【００２６】
また、第１の基板３および第２の基板４および第３の基板５それぞれに無線部の回路を搭載したが、少なくとも１つに無線部の回路を搭載し、残りの基板にアプリケーション用の回路、例えば、カメラ、ＳＤカード、ＧＰＳ、ラジオ、ＤＴＶなどを搭載してもよい。また、第１，第２，第３の給電ピン７，１０，１３は、板バネ、板金、導電性スポンジ、ガスケットのいずれかで構成することができる。
【００２７】
また、携帯無線機は、ストレート型のものを示したが、２つの筐体の片方にＬＣＤ１５、残りの一方に電池２を設け、ＬＣＤ１５と電池２を分離させた２つ折れ型の携帯無線機、スライド型の携帯無線機であってもよい。
【００２８】
＜実施の形態２＞
本実施の形態に係る携帯無線機の概念図を図３に、携帯無線機を使用しているときの側面図を図４に示す。本実施の形態は、第３のＭＣ回路１２、第３の給電ピン１３、第３の内蔵アンテナ１４の配置位置が異なる点で実施の形態１と異なる。本実施の形態において、下記で新たに説明しない構成については、実施の形態１の構成と同一であるものとする。
【００２９】
図４に示すように、筐体１は、ＬＣＤ１５と、キー操作部１６が設けられた第１の面２１と、第１の面２１と対向する第２の面２２とを有する。図３は、第２の面２２を上側にして携帯無線機を示した図である。この図のように、複数のアンテナ８，１１，１４は、筐体１内に設けられ、筐体１の第２の面２２に沿って配置される。この複数のアンテナは、第１のアンテナである第１の内蔵アンテナ８と、第２のアンテナである第２の内蔵アンテナ１１と、第３のアンテナである第３の内蔵アンテナ１４とを含む。ここでは、第１の内蔵アンテナ８と、第２の内蔵アンテナ１１と、第３の内蔵アンテナ１４はすべて線状のモノポールアンテナとする。
【００３０】
第１，第２の内蔵アンテナ８，１１は、第２の面２２の互いに対向する対辺の一方および他方に沿ってそれぞれ配置される。第１，第２の内蔵アンテナ８，１１は、対辺の一方および他方の筐体１の上部側の各同位置に配置されている。具体的には、図３のように、第１の内蔵アンテナ８は、第２の面２２の左上側に配置され、第２の内蔵アンテナ１１は、第２の面２２の右上側に配置され、左右対称となっている。第３の内蔵アンテナ１４は、第１の内蔵アンテナ８と第２の内蔵アンテナ１１の中間に配置される。これら第１，第２，第３の内蔵アンテナ８，１１，１４は、ＦＰＣで構成されており、第２の面２２に貼り付けて配置されている。
【００３１】
第３の給電ピン１３は、第３の基板５上に設けられ、第３の内蔵アンテナ１４と電気（ＤＣ）的に接続されることにより、第３の内蔵アンテナ１４に給電する。第３のＭＣ回路１２は、第３の内蔵アンテナ１４と第３の給電ピン１３のインピーダンスの整合をとるＭＣ調整を行う。第３の内蔵アンテナ１４は、複数の基板３，４，５のうち第１の面２１に最も近い基板である第１の基板３以外の基板上に設けられた給電ピンと接続される。本実施の形態では最も望ましい構造として、第３の内蔵アンテナ１４は、複数の基板３，４，５のうち第１の面２１から最も遠い基板である第３の基板５上に設けられた第３の給電ピン１３と接続される。
【００３２】
第１，第２の内蔵アンテナ８，１１と、第１，第２の給電ピン７，１０と、第１，第２のＭＣ回路６，９の構成は実施の形態１と同様である。こうして、第１，第２，第３のアンテナ８，１１，１４はすべて、複数の基板３，４，５のうち第１の面２１から最も遠い基板である第３の基板５上に設けられた第１，第２，第３の給電ピン７，１０，１３とそれぞれ接続される。
【００３３】
このように構成すれば、携帯無線機の小型化を実現できる限りにおいて、第１の内蔵アンテナ８と第２の内蔵アンテナ１１とが互いに離れた構造となる。そのため、第１の内蔵アンテナ８が第２の内蔵アンテナ１１から受ける影響と、第２の内蔵アンテナ１１が第１の内蔵アンテナ８から受ける影響を軽減することができる。
【００３４】
また、第１，第２，第３の内蔵アンテナ８，１１，１４を第２の面２２に沿って配置したことにより、図４のように人が携帯無線機を使用するときには、携帯無線機の薄型化を実現できる限りにおいて、それらは人体頭部１７から最も遠い場所に位置することになる。そのため、人体頭部１７からの影響を低減させることができ、これら内蔵アンテナそれぞれにおけるアンテナ利得の劣化を防止することができる。
【００３５】
また、第１，第２，第３の内蔵アンテナ８，１１，１４は、人体頭部１７に最も近い第１の基板３以外の基板上に設けられた給電ピンから給電される。つまり、人体頭部１７から近くない位置で給電される。このため、上記複数の内蔵アンテナの配置による効果に加えて、さらに人体頭部１７からの影響を防ぐことができるようになり、これら内蔵アンテナそれぞれにおけるアンテナ利得の劣化をさらに防止することができる。
【００３６】
本実施の形態では、さらに、第１，第２，第３の内蔵アンテナ８，１１，１４はすべて、人体頭部１７から最も遠い第３の基板５上に設けられた第１，第２，第３の給電ピン７，１０，１３からそれぞれ給電される。つまり、人体頭部１７から最も遠い位置で給電される。このため、最も人体頭部１７からの影響を防ぐことができるようになり、これら内蔵アンテナそれぞれにおけるアンテナ利得の劣化を最も防止することができる。その結果、最も安定したアンテナ利得を得ることができる。
【００３７】
なお、本実施の形態では、人の手から受ける影響が大きいものとして、第３の内蔵アンテナ１４も筐体１の上部側に配置している。しかし、これら内蔵アンテナ間で相互に受ける影響が、人の手から受ける影響よりも大きい場合には、第３の内蔵アンテナ１４を筐体１の下部側に設けてもよい。
【００３８】
また、第１の内蔵アンテナ８と第２の内蔵アンテナ１１と第３の内蔵アンテナ１４は、線状モノポールアンテナとしたものを示したが、これらのうち少なくとも１つを板状モノポールアンテナとしてもよい。また、第１，第２，第３の内蔵アンテナ８，１１，１４はすべて、ＦＰＣで構成したが、これらのうち少なくとも１つを板金としてもよい。
【００３９】
＜実施の形態３＞
本実施の形態に係る携帯無線機の概念図を図５に、携帯無線機を使用しているときの側面図を図６に示す。本実施の形態と実施の形態２と異なる点は、第３のＭＣ回路１２と、第３の給電ピン１３と、第３の内蔵アンテナ１４の配置位置が異なることと、第４のＭＣ回路１８と、第４の給電ピン１９と、第４の内蔵アンテナ２０とをさらに備える点である。本実施の形態において、下記で新たに説明しない構成については、実施の形態２の構成と同一であるものとする。
【００４０】
図６に示すように、筐体１は、ＬＣＤ１５と、キー操作部１６が設けられた第１の面２１と、第１の面２１と対向する第２の面２２とを有する。図５は、第２の面２２を上側にして携帯無線機を示した図である。この図のように、複数のアンテナ８，１１，１４，２０は、筐体１内に設けられ、筐体１の第２の面２２に沿って配置される。この複数のアンテナは、第１のアンテナである第１の内蔵アンテナ８と、第２のアンテナである第２の内蔵アンテナ１１と、第３のアンテナである第３の内蔵アンテナ１４と、第４のアンテナである第４の内蔵アンテナ２０を含む。ここでは、第１の内蔵アンテナ８と、第２の内蔵アンテナ１１と、第３の内蔵アンテナ１４と、第４の内蔵アンテナ２０はすべて線状のモノポールアンテナとする。
【００４１】
第１，第２の内蔵アンテナ８，１１は、第２の面２２の互いに対向する対辺の一方および他方に沿ってそれぞれ配置される。第１，第２の内蔵アンテナ８，１１は、対辺の一方および他方の筐体１の上部側の各同位置に配置されている。具体的には、図５のように、第１の内蔵アンテナ８は、第２の面２２の左上側に配置され、第２の内蔵アンテナ１１は、第２の面２２の右上側に配置され、左右対称となっている。
【００４２】
第３の内蔵アンテナ１４は、実施の形態２とは異なり、第１の内蔵アンテナ８と同じ対辺に沿って配置される。第４の内蔵アンテナ２０は、第２の内蔵アンテナ１１と同じ対辺に沿って配置される。第３，第４の内蔵アンテナ１４，２０は、対辺の一方および他方の筐体１の下部側の各同位置に配置されている。具体的には、図５のように、第３の内蔵アンテナ１４は、第２の面２２の左下側に配置され、第４の内蔵アンテナ２０は、第２の面２２の右下側に配置され、左右対称となっている。これら第１，第２，第３，第４の内蔵アンテナ８，１１，１４，２０は、ＦＰＣで構成されており、第２の面２２に貼り付けて配置されている。
【００４３】
第４の給電ピン１９は、第３の基板５上に設けられ、第４の内蔵アンテナ２０と電気（ＤＣ）的に接続されることにより、第４の内蔵アンテナ２０に給電する。第４のＭＣ回路１８は、第４の内蔵アンテナ２０と第４の給電ピン１９のインピーダンスの整合をとるＭＣ調整を行う。第４の内蔵アンテナ２０は、複数の基板３，４，５のうち第１の面２１に最も近い基板である第１の基板３以外の基板上に設けられた給電ピンと接続される。本実施の形態では最も望ましい構造として、第４の内蔵アンテナ２０は、複数の基板３，４，５のうち第１の面２１から最も遠い基板である第３の基板５上に設けられた第４の給電ピン１９と接続される。
【００４４】
第１，第２の内蔵アンテナ８，１１と、第１，第２の給電ピン７，１０と、第１，第２のＭＣ回路６，９の構成は実施の形態２と同様である。第３の給電ピン１３と、第３のＭＣ回路１２は、実施の形態２と同様に第３の基板５上に設けられるが、第３の内蔵アンテナ１４の配置位置の変更に伴い、第３の基板５上での位置を変更している。こうして、第１，第２，第３，第４のアンテナ８，１１，１４，２０はすべて、複数の基板３，４，５のうち第１の面２１から最も遠い基板である第３の基板５上に設けられた第１，第２，第３，第４の給電ピン７，１０，１３，１９とそれぞれ接続される。
【００４５】
このように構成すれば、携帯無線機の小型化を実現できる限りにおいて、第１，第２，第３，第４の内蔵アンテナ８，１１，１４，２０のそれぞれが互いに離れた構造となる。そのため、１つの内蔵アンテナと他のすべての内蔵アンテナとの間で相互に与える影響を軽減することができる。
【００４６】
また、第１，第２，第３，第４の内蔵アンテナ８，１１，１４，２０を第２の面２２に沿って配置したことにより、図６のように人が携帯無線機を使用するときには、携帯無線機の薄型化を実現できる限りにおいて、それらは人体頭部１７から最も遠い場所に位置することになる。そのため、人体頭部１７からの影響を低減させることができ、これら内蔵アンテナそれぞれにおけるアンテナ利得の劣化を防止することができる。
【００４７】
また、第１，第２，第３，第４の内蔵アンテナ８，１１，１４，２０は、人体頭部１７に最も近い第１の基板３以外の基板上に設けられた給電ピンから給電される。つまり、人体頭部１７から近くない位置で給電される。このため、上記複数の内蔵アンテナの配置による効果に加えて、さらに人体頭部１７からの影響を防ぐことができるようになり、これら内蔵アンテナそれぞれにおけるアンテナ利得の劣化をさらに防止することができる。
【００４８】
本実施の形態では、さらに、第１，第２，第３，４の内蔵アンテナ８，１１，１４，２０はすべて、人体頭部１７から最も離れた第３の基板５上に設けられた第１，第２，第３，４の給電ピン７，１０，１３，１９からそれぞれ給電される。つまり、人体頭部１７から最も遠い位置で給電される。このため、最も人体頭部１７からの影響を防ぐことができるようになり、これら内蔵アンテナそれぞれにおけるアンテナ利得の劣化を最も防止することができる。その結果、最も安定したアンテナ利得を得ることができる。
【００４９】
なお、第１，第２，第３，第４の内蔵アンテナ８，１１，１４，２０はすべて、線状モノポールアンテナとしたものを示したが、これらのうち少なくとも１つを板状モノポールアンテナとしてもよい。
【００５０】
また、第１，第２，第３，第４の内蔵アンテナ８，１１，１４，２０はすべて、ＦＰＣで構成したが、これらのうち少なくとも１つを板金としてもよい。また、第１，第２，第３，第４の給電ピン７，１０，１３，１９は、板バネ、板金、導電性スポンジ、ガスケットのいずれかで構成することができる。
【００５１】
＜実施の形態４＞
本実施の形態に係る携帯無線機の概念図を図７に、携帯無線機を使用しているときの側面図を図８に示す。本実施の形態では、第３の基板５の設計スペースに余裕が無く、第２の基板４に給電ピンを設けた場合を想定したものである。なお、複数の基板３，４，５については、実施の形態２の構成と同一であるものとする。
【００５２】
図７に示すように、筐体１は、ＬＣＤ１５と、キー操作部１６が設けられた第１の面２１と、第１の面２１と対向する第２の面２２とを有する。図７は、第２の面２２を上側にして携帯無線機を示した図である。この図のように、複数のアンテナ８，１１は、筐体１内に設けられ、筐体１の第２の面２２に沿って配置される。この複数のアンテナは、第１のアンテナである第１の内蔵アンテナ８と、第２のアンテナである第２の内蔵アンテナ１１とを含む。ここでは、第１の内蔵アンテナ８と、第２の内蔵アンテナ１１はすべて線状のモノポールアンテナとする。
【００５３】
第１，第２の内蔵アンテナ８，１１は、第２の面２２の互いに対向する対辺の一方および他方に沿ってそれぞれ配置される。第１，第２の内蔵アンテナ８，１１は、対辺の一方および他方の筐体１の上部側の各同位置に配置されている。具体的には、図７のように、第１の内蔵アンテナ８は、第２の面２２の左上側に配置され、第２の内蔵アンテナ１１は、第２の面２２の右上側に配置され、左右対称となっている。これら第１，第２の内蔵アンテナ８，１１は、ＦＰＣで構成されており、第２の面２２に貼り付けて配置されている。
【００５４】
第１の給電ピン７は、第２の基板４上に設けられ、第１の内蔵アンテナ８と電気（ＤＣ）的に接続されることにより、第１の内蔵アンテナ８に給電する。第１のＭＣ回路６は、第１の内蔵アンテナ８と第１の給電ピン７のインピーダンスの整合をとるＭＣ調整を行う。第１の内蔵アンテナ８は、複数の基板３，４，５のうち第１の面２１に最も近い基板である第１の基板３以外の基板上に設けられた給電ピンと接続される。本実施の形態では、第１の内蔵アンテナ８は、複数の基板３，４，５のうち第２の基板４上に設けられた第１の給電ピン７と接続される。
【００５５】
第２の給電ピン１０は、第２の基板４上に設けられ、第２の内蔵アンテナ１１と電気（ＤＣ）的に接続されることにより、第２の内蔵アンテナ１１に給電する。第２のＭＣ回路９は、第２の内蔵アンテナ１１と第２の給電ピン１０のインピーダンスの整合をとるＭＣ調整を行う。第２の内蔵アンテナ１１は、複数の基板３，４，５のうち第１の面２１に最も近い基板である第１の基板３以外の基板上に設けられた給電ピンと接続される。本実施の形態では、第２の内蔵アンテナ１１は、複数の基板３，４，５のうち第２の基板４上に設けられた第２の給電ピン１０と接続される。
【００５６】
このように構成すれば、携帯無線機の小型化を実現できる限りにおいて、第１の内蔵アンテナ８と第２の内蔵アンテナ１１とが互いに離れた構造となる。そのため、第１の内蔵アンテナ８が第２の内蔵アンテナ１１から受ける影響と、第２の内蔵アンテナ１１が第１の内蔵アンテナ８から受ける影響を軽減することができる。
【００５７】
また、第１，第２の内蔵アンテナ８，１１を第２の面２２に沿って配置したことにより、図８のように人が携帯無線機を使用するときには、携帯無線機の薄型化を実現できる限りにおいて、それらは人体頭部１７から最も遠い場所に位置することになる。そのため、人体頭部１７からの影響を低減させることができ、第１，第２の内蔵アンテナ８，１１それぞれにおけるアンテナ利得の劣化を防止することができる。
【００５８】
また、第１，第２の内蔵アンテナ８，１１は、人体頭部１７に最も近い第１の基板３以外の基板上に設けられた給電ピンから給電される。つまり、人体頭部１７から近くない位置で給電される。このため、上記複数の内蔵アンテナの配置による効果に加えて、さらに人体頭部１７からの影響を防ぐことができるようになり、第１，第２の内蔵アンテナ８，１１それぞれにおけるアンテナ利得の劣化をさらに防止することができる。
【００５９】
なお、本実施の形態では、第１の内蔵アンテナ８と第２の内蔵アンテナ１１は、線状モノポールアンテナとしたものを示したが、これらのうち少なくとも１つを板状モノポールアンテナとしてもよい。
【００６０】
また、第１，第２の内蔵アンテナ８，１１はすべて、ＦＰＣで構成したが、これらのうち少なくとも１つを板金としてもよい。また、第１，第２の給電ピン７，１０は、板バネ、板金、導電性スポンジ、ガスケットのいずれかで構成することができる。
【００６１】
また、携帯無線機は、ストレート型のものを示したが、２つの筐体の片方にＬＣＤ１５、残りの一方に電池２を設け、ＬＣＤ１５と電池２を分離させた２つ折れ型の携帯無線機、スライド型の携帯無線機であってもよい。
【図面の簡単な説明】
【００６２】
【図１】実施の形態１に係る携帯無線機の概略図である。
【図２】実施の形態１に係る携帯無線機使用時の側面図である。
【図３】実施の形態２に係る携帯無線機の概略図である。
【図４】実施の形態２に係る携帯無線機使用時の側面図である。
【図５】実施の形態３に係る携帯無線機の概略図である。
【図６】実施の形態３に係る携帯無線機使用時の側面図である。
【図７】実施の形態４に係る携帯無線機の概略図である。
【図８】実施の形態４に係る携帯無線機使用時の側面図である。
【符号の説明】
【００６３】
１  筐体、２  電池、３  第１の基板、４  第２の基板、５  第３の基板、６  第１のＭＣ回路、７  第１の給電ピン、８  第１の内蔵アンテナ、９  第２のＭＣ回路、１０  第２の給電ピン、１１  第２の内蔵アンテナ、１２  第３のＭＣ回路、１３  第３の給電ピン、１４  第３の内蔵アンテナ、１５  ＬＣＤ、１６  キー操作部、１７  人体頭部、１８  第４のＭＣ回路、１９  第４の給電ピン、２０  第４の内蔵アンテナ、２１  第１の面、２２  第２の面。
【図１】
2008011016.tif 000003
【図２】
2008011016.tif 000004
【図３】
2008011016.tif 000005
【図４】
2008011016.tif 000006
【図５】
2008011016.tif 000007
【図６】
2008011016.tif 000008
【図７】
2008011016.tif 000009
【図８】
2008011016.tif 000010